(57)【要約】コンピュータ等で制御される印刷装置によって、版式印刷装置で印刷された印刷物と略同一の発色であり、かつモアレの発生やエッジの強調等の望ましくない視覚効果も正確に再現される印刷物が得られるようにする。画像処理装置３０は、第一の印刷装置１０のインク色毎又はインク色の重ね合わせパターン毎に、第二の印刷装置２０のインク色の混合比を設定し記憶する色設定部３１と、第一の印刷用画像データＤ１を受け入れる画像データ受入部３２と、受け入れた第一の印刷用画像データを、前記インク色毎又はインク色の重ね合わせパターン毎の領域に区分する領域区分部３３と、区分された領域毎に、対応したインク色の混合比に従った混合色を割り当てて色変換する色変換部３４と、色変換された画像データからインク色毎の多階調画像データを生成し、第二の印刷用画像データＤ２として出力する画像データ出力部３５とを備える。
2016194217.tif 000002
【特許請求の範囲】
【請求項１】
第一の印刷装置に対応した第一の印刷用画像データから、第二の印刷装置に対応した第二の印刷用画像データを生成する画像処理装置において、
第一の印刷装置のインク色毎又はインク色の重ね合わせパターン毎に、第二の印刷装置のインク色の混合比を設定し記憶する色設定部と、
第一の印刷用画像データを受け入れる画像データ受入部と、
受け入れた第一の印刷用画像データを、前記インク色毎又はインク色の重ね合わせパターン毎の領域に区分する領域区分部と、
区分された領域毎に、対応したインク色の混合比に従った混合色を割り当てて色変換する色変換部と、
色変換された画像データからインク色毎の多階調画像データを生成し、第二の印刷用画像データとして出力する画像データ出力部とを備えることを特徴とする画像処理装置。
【請求項２】
第一の印刷装置に対応した第一の印刷用画像データから、第二の印刷装置に対応した第二の印刷用画像データを生成する画像処理装置において、
第一の印刷装置のインク色毎又はインク色の重ね合わせパターン毎に、第二の印刷装置のインク色の混合比を設定し記憶する色設定部と、
設定された各インク色の混合比に従って、所定数の画素を配列させたブロックの各画素に第二の印刷装置のインク色のいずれかを割り当てることで、複数種別の色ブロックを生成する色ブロック生成部と、
第一の印刷用画像データを受け入れる画像データ受入部と、
受け入れた第一の印刷用画像データを、前記インク色毎又はインク色の重ね合わせパターン毎の領域に区分する領域区分部と、
区分された領域毎に、対応した色ブロックを配列させることで色変換する色変換部と、
色変換された画像データからインク色毎の二値画像データを生成し、第二の印刷用画像データとして出力する画像データ出力部とを備えることを特徴とする画像処理装置。
【請求項３】
請求項１又は２に記載の画像処理装置において、
第一の印刷用画像データは特色の網点を含んでいることを特徴とする画像処理装置。
【請求項４】
請求項１乃至３のいずれか一項に記載の画像処理装置において、
前記インク色の混合比は、第一、第二の印刷装置のインク色の印刷順序と透過度とに基づいて設定することを特徴とする画像処理装置。
【請求項５】
請求項１乃至４のいずれか一項に記載の画像処理装置において、
受け入れた第一の印刷用画像データの網点の一部を、所定基準に従って拡大又は縮小するドットゲイン調整処理を行うことを特徴とする画像処理装置。
【請求項６】
第一の印刷装置に対応した第一の印刷用画像データから、第二の印刷装置に対応した第二の印刷用画像データを生成する画像処理をコンピュータに実行させるためのコンピュータ用プログラムにおいて、
第一の印刷装置のインク色毎又はインク色の重ね合わせパターン毎に、第二の印刷装置のインク色の混合比を設定する工程と、
第一の印刷用値画像データを受け入れる工程と、
受け入れた第一の印刷用画像データを、前記インク色毎又はインク色の重ね合わせパターン毎の領域に区分する工程と、
区分された領域毎に、対応したインク色の混合比に従った混合色を割り当てて色変換する工程と、
色変換された画像データからインク色毎の多階調画像データを生成する工程と、
生成されたインク色毎の多階調画像データを、第二の印刷用画像データとして出力する工程とを備えることを特徴とするコンピュータ用プログラム。
【請求項７】
第一の印刷装置に対応した第一の印刷用画像データから、第二の印刷装置に対応した第二の印刷用画像データを生成する画像処理をコンピュータに実行させるためのコンピュータ用プログラムにおいて、
第一の印刷装置のインク色毎又はインク色の重ね合わせパターン毎に、第二の印刷装置のインク色の混合比を設定する工程と、
設定された各インク色の混合比に従って、所定数の画素を配列させたブロックの各画素に第二の印刷装置のインク色のいずれかを割り当てることで、複数種別の色ブロックを生成する工程と、
第一の印刷用画像データを受け入れる工程と、
受け入れた第一の印刷用画像データを、前記インク色毎又はインク色の重ね合わせパターン毎の領域に区分する工程と、
区分された領域毎に、対応した色ブロックを配列させることで色変換する工程と、
色変換された画像データからインク色毎の二値画像データを生成する工程と、
生成されたインク色毎の二値画像データを、第二の印刷用画像データとして出力する工程とを備えることを特徴とするコンピュータ用プログラム。
【請求項８】
請求項６又は７に記載のコンピュータ用プログラムにおいて、
第一の印刷用画像データは特色の網点を含んでいることを特徴とするコンピュータ用プログラム。
【請求項９】
請求項６乃至８のいずれか一項に記載のコンピュータ用プログラムにおいて、
前記インク色の混合比は、第一、第二の印刷装置のインク色の印刷順序と透過度とに基づいて設定することを特徴とするコンピュータ用プログラム。
【請求項１０】
請求項６乃至９のいずれか一項に記載のコンピュータ用プログラムにおいて、
受け入れた第一の印刷用画像データの網点の一部を、所定基準に従って拡大又は縮小するドットゲイン調整処理を行うことを特徴とするコンピュータ用プログラム。
【請求項１１】
第一の印刷装置に対応した第一の印刷用画像データから、第二の印刷装置に対応した第二の印刷用画像データを生成する画像処理方法において、
第一の印刷装置のインク色毎又はインク色の重ね合わせパターン毎に、第二の印刷装置のインク色の混合比を設定し、
第一の印刷用画像データを受け入れ、
受け入れた第一の印刷用画像データを、前記インク色毎又はインク色の重ね合わせパターン毎の領域に区分し、
区分された領域毎に、対応したインク色の混合比に従った混合色を割り当てて色変換し、
色変換された画像データからインク色毎の多階調画像データを生成し、第二の印刷機用画像データとして出力することを特徴とする画像処理方法。
【請求項１２】
第一の印刷装置に対応した第一の印刷用画像データから、第二の印刷装置に対応した第二の印刷用画像データを生成する画像処理方法において、
第一の印刷装置のインク色毎又はインク色の重ね合わせパターン毎に、第二の印刷装置のインク色の混合比を設定し、
設定された各インク色の混合比に従って、所定数の画素を配列させたブロックの各画素に第二の印刷装置のインク色のいずれかを割り当てることで、複数種別の色ブロックを生成し、
第一の印刷用画像データを受け入れ、
受け入れた第一の印刷用画像データを、前記インク色毎又はインク色の重ね合わせパターン毎の領域に区分し、
区分された領域毎に、対応した色ブロックを配列させることで色変換し、
色変換された画像データからインク色毎の二値画像データを生成し、第二の印刷機用画像データとして出力することを特徴とする画像処理方法。
【請求項１３】
請求項１１又は１２に記載の画像処理方法において、
第一の印刷用画像データは特色の網点を含んでいることを特徴とする画像処理方法。
【請求項１４】
請求項１１乃至１３のいずれか一項に記載の画像処理方法において、
前記インク色の混合比は、第一、第二の印刷装置のインク色の印刷順序と透過度とに基づいて設定することを特徴とする画像処理方法。
【請求項１５】
請求項１１乃至１４のいずれか一項に記載の画像処理方法において、
受け入れた第一の印刷用画像データの網点の一部を、所定基準に従って拡大又は縮小するドットゲイン調整処理を行うことを特徴とする画像処理方法。
【発明の詳細な説明】
【技術分野】
【０００１】
本発明は、印刷装置に入力される印刷用画像データを処理する画像処理装置、コンピュータ用プログラム及び画像処理方法に関する。
【背景技術】
【０００２】
版式印刷装置で高品位な印刷物を印刷しようとすると、本番印刷でモアレ等の発生がなく期待通りに発色することを、事前に試し印刷等で検証する必要がある（プルーフ作業）。しかしながら版式印刷装置で試し印刷する場合、そのための版を作製する必要があるのでコストが過大になってしまうという問題があった。【０００３】
そのような問題に着目した従来技術として例えば次の特許文献１がある。その文献では、最終的な印刷本機での出力の前に、印刷される色や印刷オブジェクトのレイアウトなどをインクジェット等のデジタルプリンタによって確認する技術が提案されている。そのための画像処理では、印刷用の網点画像のオブジェクトに対してぼかし処理、解像度変換処理等を行うこと、更にぼかし処理された画画像に対してＩＣＣプロファイルを用いて色変換すること等が記載されている。
【先行技術文献】
【特許文献】
【０００４】
【特許文献１】特開２０１５−０２３３７８号公報
【発明の概要】
【発明が解決しようとする課題】
【０００５】
しかしながら引用文献１に記載の画像処理では、網点の配置や形状がそのまま保たれるわけではないのでモアレの検証が確実性に欠ける、またＩＣＣプロファイルを用いた色変換ではインクが重なり合う部分に対して色の正確さに疑問がある等、問題が完全に解決されているわけではなかった。【０００６】
本発明は、この問題のより完全な解決を目的としたものであり、コンピュータ等で制御される印刷装置によって、版式印刷装置で印刷された印刷物と略同一の発色であり、かつモアレの発生やエッジの強調等の望ましくない視覚効果も正確に再現される印刷物が得られるようにすることを目的としている。
【課題を解決するための手段】
【０００７】
本発明は、第一の印刷装置に対応した第一の印刷用画像データから、第二の印刷装置に対応した第二の印刷用画像データを生成する画像処理装置において、第一の印刷装置のインク色毎又はインク色の重ね合わせパターン毎に、第二の印刷装置のインク色の混合比を設定し記憶する色設定部と、第一の印刷用画像データを受け入れる画像データ受入部と、受け入れた第一の印刷用画像データを、前記インク色毎又はインク色の重ね合わせパターン毎の領域に区分する領域区分部と、区分された領域毎に、対応したインク色の混合比に従った混合色を割り当てて色変換する色変換部と、色変換された画像データからインク色毎の多階調画像データを生成し、第二の印刷用画像データとして出力する画像データ出力部とを備えることを特徴とする。【０００８】
また本発明は、第一の印刷装置に対応した第一の印刷用画像データから、第二の印刷装置に対応した第二の印刷用画像データを生成する画像処理装置において、第一の印刷装置のインク色毎又はインク色の重ね合わせパターン毎に、第二の印刷装置のインク色の混合比を設定し記憶する色設定部と、設定された各インク色の混合比に従って、所定数の画素を配列させたブロックの各画素に第二の印刷装置のインク色のいずれかを割り当てることで、複数種別の色ブロックを生成する色ブロック生成部と、第一の印刷用画像データを受け入れる画像データ受入部と、受け入れた第一の印刷用画像データを、前記インク色毎又はインク色の重ね合わせパターン毎の領域に区分する領域区分部と、区分された領域毎に、対応した色ブロックを配列させることで色変換する色変換部と、色変換された画像データからインク色毎の二値画像データを生成し、第二の印刷用画像データとして出力する画像データ出力部とを備えることを特徴とする。【０００９】
また本発明は、第一の印刷装置に対応した第一の印刷用画像データから、第二の印刷装置に対応した第二の印刷用画像データを生成する画像処理をコンピュータに実行させるためのコンピュータ用プログラムにおいて、第一の印刷装置のインク色毎又はインク色の重ね合わせパターン毎に、第二の印刷装置のインク色の混合比を設定する工程と、第一の印刷用値画像データを受け入れる工程と、受け入れた第一の印刷用画像データを、前記インク色毎又はインク色の重ね合わせパターン毎の領域に区分する工程と、区分された領域毎に、対応したインク色の混合比に従った混合色を割り当てて色変換する工程と、色変換された画像データからインク色毎の多階調画像データを生成する工程と、生成されたインク色毎の多階調画像データを、第二の印刷用画像データとして出力する工程とを備えることを特徴とする。【００１０】
また本発明は、第一の印刷装置に対応した第一の印刷用画像データから、第二の印刷装置に対応した第二の印刷用画像データを生成する画像処理をコンピュータに実行させるためのコンピュータ用プログラムにおいて、第一の印刷装置のインク色毎又はインク色の重ね合わせパターン毎に、第二の印刷装置のインク色の混合比を設定する工程と、設定された各インク色の混合比に従って、所定数の画素を配列させたブロックの各画素に第二の印刷装置のインク色のいずれかを割り当てることで、複数種別の色ブロックを生成する工程と、第一の印刷用画像データを受け入れる工程と、受け入れた第一の印刷用画像データを、前記インク色毎又はインク色の重ね合わせパターン毎の領域に区分する工程と、区分された領域毎に、対応した色ブロックを配列させることで色変換する工程と、色変換された画像データからインク色毎の二値画像データを生成する工程と、生成されたインク色毎の二値画像データを、第二の印刷用画像データとして出力する工程とを備えることを特徴とする。【００１１】
また本発明は、第一の印刷装置に対応した第一の印刷用画像データから、第二の印刷装置に対応した第二の印刷用画像データを生成する画像処理方法において、第一の印刷装置のインク色毎又はインク色の重ね合わせパターン毎に、第二の印刷装置のインク色の混合比を設定し、第一の印刷用画像データを受け入れ、受け入れた第一の印刷用画像データを、前記インク色毎又はインク色の重ね合わせパターン毎の領域に区分し、区分された領域毎に、対応したインク色の混合比に従った混合色を割り当てて色変換し、色変換された画像データからインク色毎の多階調画像データを生成し、第二の印刷機用画像データとして出力することを特徴とする。【００１２】
また本発明は、第一の印刷装置に対応した第一の印刷用画像データから、第二の印刷装置に対応した第二の印刷用画像データを生成する画像処理方法において、第一の印刷装置のインク色毎又はインク色の重ね合わせパターン毎に、第二の印刷装置のインク色の混合比を設定し、設定された各インク色の混合比に従って、所定数の画素を配列させたブロックの各画素に第二の印刷装置のインク色のいずれかを割り当てることで、複数種別の色ブロックを生成し、第一の印刷用画像データを受け入れ、受け入れた第一の印刷用画像データを、前記インク色又はインク色毎の重ね合わせパターン毎の領域に区分し、区分された領域毎に、対応した色ブロックを配列させることで色変換し、色変換された画像データからインク色毎の二値画像データを生成し、第二の印刷機用画像データとして出力することを特徴とする。
【発明の効果】
【００１３】
本発明では、第一の印刷装置による印刷物の発色と、第二の印刷装置による印刷物の発色とが一致するように色設定データが設定され、更に第一の印刷用画像データにおける網点の位置及び形状は第二の印刷用画像データにそのまま引き継がれる。よって第二の印刷用画像データを第二の印刷装置に入力して印刷された印刷物は、第一の印刷用画像データを第一の印刷装置に入力して印刷される印刷物と略同一の発色が得られ、モアレの発生やエッジの強調等の望ましくない視覚効果も正確に再現される。【００１４】
またインク色毎の二値画像データを、第二の印刷用画像データとして出力する構成では、その二値画像データは版式印刷装置からでも簡単に印刷できる形式になっているので、ある機種の版式印刷装置で印刷される印刷物と略同一の印刷物を他の機種の版式印刷装置によって印刷させるというような用途にも活用できる
【図面の簡単な説明】
【００１５】
【図１】実施形態の一例とされる画像処理装置の基本構成を示すシステム図である。
【図２】（ａ）〜（ｄ）はそれぞれ第一の印刷用画像データを構成するＣ、Ｍ、Ｙ、Ｋの網点画像データを示している。
【図３】色設定データの一例を示すテーブルである。
【図４】第一の印刷用画像データを、Ｃ、Ｍ、Ｙ、Ｋの網点画像データを重ね合わせて示した図面である。
【図５】色変換された画像データからＹ成分を抽出して生成されたＹの多階調画像データの例を示す図面である。
【図６】多階調画像データを生成するためのコンピュータ用プログラムの基本構成を示すフローチャートである。
【図７】実施形態の他例とされる画像処理装置の基本構成を示すシステム図である。
【図８】（ａ）は色設定データの一例、（ｂ）は色ブロックの例である。
【図９】区分された領域に色ブロックを配列させる処理を説明する図面である。
【図１０】色変換された画像データからＹ画素を抽出して生成されたＹの二値画像データの例を示している。
【図１１】二値画像データを生成するためのコンピュータ用プログラムの基本構成を示すフローチャートである。
【発明を実施するための形態】
【００１６】
図１は、実施形態の一例とされる画像処理装置の基本構成を示すシステム図である。
【００１７】
第一の印刷用画像データＤ１は、例えば、シアン（以後はＣと記載する）、マゼンタ（以後はＭと記載する）、イエロー（以後はＹと記載する）、ブラック（以後はＫと記載する）の二値画像データを組み合わせたものであり、網点画像データになっている。網点画像データは、媒体領域に規則的に配列された各インク色の着色点（網点）の面積を調節することで各位置の階調を表現する。
【００１８】
図２（ａ）〜（ｄ）は、第一の印刷用画像データＤ１を構成する網点画像データの一例であり、それぞれＣ、Ｍ、Ｙ、Ｋの網点画像データＤ１（Ｃ）、Ｄ１（Ｍ）、Ｄ１（Ｙ）、Ｄ１（Ｋ）を示している。これらを所定の順序で媒体に印刷することでカラー印刷物が得られる。網点Ｑは一例として円形としているが、他の形状であってもよい。網点Ｑは図中の点線のように一定間隔の平行線上に置かれる。この平行線の角度は一般にスクリーン角度と呼ばれるものでインク色毎に違えて設定されている。このようにスクリーン角度を違えることで、モアレの発生やエッジの強調等の望ましくない視覚効果が抑えられる。
【００１９】
第一の印刷用画像データＤ１から、図示しない製版装置等によって、繰り返し使用可能な版が作製される。例えば凸版、凹版、平版等である。版における網点はインクの付着領域になる。
【００２０】
第一の印刷装置１０は版式印刷装置と想定しており、前記のような版が組み込まれ、各版の網点にインクを付着させて各インク色の二値画像を形成し、それらの画像を所定の順番で媒体に転写して重ね合わせることで、カラーの版式印刷物Ｐ１を形成するように構成されている。版式印刷装置は一般に印刷所等で大量印刷する用途に使われるものである。
【００２１】
第二の印刷用画像データＤ２は、例えばＣ、Ｍ、Ｙ、Ｋの多階調画像データであって、インク色毎の階調が指定された画素（ピクセル）を媒体領域に敷きつめた形式である。
【００２２】
第二の印刷装置２０はワークステーション等のコンピュータ装置によって制御される無版印刷装置と想定している。無版印刷装置は、繰り返し使用可能な版を用いない点で版式印刷装置と相違する。代表的なものとしてトナー式プリンタ、インクジェット式プリンタ、昇華式プリンタ等がある。
無版印刷装置は、第二の印刷用画像データＤ２を受け入れて、装置固有のアルゴリズムによって独自の印刷画像データを生成し、その印刷画像データに従ったパターンで各インクを媒体に定着させることで、カラーの無版印刷物Ｐ２を形成するように構成されている。第二の印刷用画像データＤ２から独自の印刷画像データを生成する処理は、制御用のコンピュータ装置で行っても、印刷装置自身で行ってもよい。
【００２３】
画像処理装置３０は、第一の印刷装置１０に対応した第一の印刷用画像データＤ１から、第二の印刷装置２０に対応した第二の印刷用画像データＤ２を生成する装置である。
【００２４】
より詳細に云えば、第一の印刷装置１０と想定している版式印刷装置は、印刷物毎に各インク色の版を作成する必要があるので、印刷部数が少ないと部数当りの印刷コストが過大になってしまう。これに対して第二の印刷装置２０と想定している無版印刷装置は、版を必要としないので、部数当りの印刷コストは一定である。よって版式印刷装置で印刷する印刷物の出来栄えを、その印刷物と略同一の印刷物を無版印刷装置によって試し印刷して確認できれば、試し刷りコストが大幅に削減でき、また版の作製時間も必要なくなる。
【００２５】
画像処理装置３０は、そのような試し印刷を意図としたものであって、独自の画像処理により、第一の印刷装置１０に対応した第一の印刷用画像データＤ１から、第二の印刷装置２０に対応し、かつ略同一の印刷物が得られる第二の印刷用画像データＤ２を生成する。ここに略同一は、色の再現性はもちろん、モアレの発生やエッジの強調等の望ましくない視覚効果も同様に再現されることを意味している。
【００２６】
画像処理装置３０は、第一の印刷装置１０のインク色の重ね合わせパターン毎に、第二の印刷装置２０のインク色の混合比を設定し、第一の印刷用画像データＤ１を受け入れ、受け入れた第一の印刷用画像データＤ１を、インク色の重ね合わせパターン毎の領域に区分し、区分された領域毎に、対応したインク色の混合比に従った混合色を割り当てて色変換し、色変換された画像データからインク色毎の多階調画像データを生成し、第二の印刷機用画像データとして出力するように構成される。
【００２７】
そのための基本的な要素として、第一の印刷装置１０のインク色の重ね合わせパターン毎に、第二の印刷装置２０のインク色の混合比を設定し記憶する色設定部３１と、第一の印刷用画像データＤ１を受け入れる画像データ受入部３２と、受け入れた第一の印刷用画像データＤ１を、インク色の重ね合わせパターン毎の領域に区分する領域区分部３３と、区分された領域毎に、対応したインク色の混合比に従った混合色を割り当てて色変換する色変換部３４と、色変換された画像データからインク色毎の多階調画像データを生成し、第二の印刷用画像データＤ２として出力する画像データ出力部３５とを備える。
以下、これらの要素とその作用について詳細に説明する。
【００２８】
色設定部３１は通信ケーブルあるいはメモリカード等の媒体を介して、又はキーボード等の操作によって色設定データＤ３を受け入れて記憶するように構成される。
【００２９】
色設定データＤ３は、要するに第一の印刷装置１０による印刷物の発色と、第二の印刷装置２０による印刷物の発色とが一致するように、第一の印刷装置１０の各インク色を、第二の印刷装置２０のインク色の特定の混合比に対応づける設定データである。近時、標準印刷の色基準としてＪａｐａｎ  Ｃｏｌｏｒ  ２００１が規定されており、第一の印刷装置１０のＣ、Ｍ、Ｙ、Ｋも、第二の印刷装置２０のＣ、Ｍ、Ｙ、Ｋも、その色基準に合致するように調整されていると考えられる。しかしながら第一、第二の印刷装置１０、２０で印刷される媒体の種別が異なれば、同一のインク色であっても発色が微妙に異なることが予想され、インク色の重なり部分では発色が更に異なり易くなると考えられる。
【００３０】
そこで本実施形態では色設定データＤ３として、第一の印刷装置１０のインク色の重ね合わせパターン毎に、第二の印刷装置２０のインク色の混合比を設定する。例えば第一の印刷装置１０のＣに対して、第二の印刷装置２０のＣ６０％＋Ｋ５％の混合比を設定する等して、媒体上のＣの発色を両者で一致させる。ここにＣ６０％、Ｋ５％等はそれぞれＣの６０％階調、Ｋの５％階調という意味である。
【００３１】
第一の印刷装置１０でＣ、Ｍ、Ｙ、Ｋの網点を用いる場合、最低限、その各色に対して第二の印刷装置２０のＣ、Ｍ、Ｙ、Ｋの混合比を設定すれば、第一の印刷装置１０による印刷物の発色と第二の印刷装置２０による印刷物の発色とを近づける効果が得られる。しかしながらＣ、Ｍ、Ｙ、Ｋの重ね合わせパターンは合計１５パターンに限定されるから、そのそれぞれに対して第二の印刷装置２０のＣ、Ｍ、Ｙ、Ｋの混合比を設定すれば、第一の印刷装置１０による印刷物の発色と第二の印刷装置２０による印刷物の発色とを更に近づけることが可能になる。その際、インク色の混合比は、第一、第二の印刷装置１０、２０におけるインク色の印刷順序と透過度とに基づいて設定するとよい。あるいはインク色の重ね合わせ１５パターンを含ませたカラーチャートを用意し、第一の印刷装置１０によるその印刷物と、第二の印刷装置２０によるその印刷物とを対比することで、インク色の重ね合わせパターン毎にＣ、Ｍ、Ｙ、Ｋの混合比を決定してもよい。
【００３２】
図３は色設定データＤ３の一例を示すテーブルである。このテーブルでは、第一の印刷装置１０のインク色の重ね合わせパターンＣＭＹＫ、…Ｋに対して、第二の印刷装置２０のインク色の混合比Ｃ１５％＋Ｍ１７％＋Ｙ１８％＋Ｋ２１％、…Ｋ８０％がそれぞれ設定されている。なお参考のため、テーブルには具体的な混合色の例も示している。
【００３３】
画像データ受入部３２は、通信ケーブルあるいはメモリカード等の媒体を介して、外部機器から第一の印刷用画像データＤ１を受け入れるように構成される。受け入れた第一の印刷用画像データＤ１は、網点の一部を、所定基準に従って拡大又は縮小するドットゲイン調整処理を施してもよい。予めそのようなドットゲイン調整処理を施すことにより、第二の印刷装置２０の特性によって生じるベタ部分の潰れや飛びを抑えることができる。
【００３４】
領域区分部３３は、第一の印刷用画像データＤ１を構成するインク色毎の二値画像データを重ね合わせ、その重ね合わせ画像データを、インク色の重ね合わせパターン毎の領域に区分するように構成される。この領域区分処理では、各網点の配置及び形状を保ったまま、各網点を１乃至複数の領域に区分する。
【００３５】
図４はそのような重ね合わせ画像データの一例であり、図２（ａ）〜（ｄ）に示した二値画像データを重ね合わせている。図示のように、他と重ならない網点部分、２重に重なり合った網点部分、３重に重なりあった網点部分、４重に重なりあった網点部分の各々がそれぞれ領域として区切られることになる。参考のため一部の領域について重ね合わせパターンＣＭＹＫ、…Ｋを示している。
【００３６】
色変換部３４は、前記のように区分された各領域に、対応したインク色の混合比に従った混合色を割り当てる。例えば重ね合わせパターンＹＭＣＫの領域には、インク色の混合比Ｃ１５％＋Ｍ１７％＋Ｙ１８％＋Ｋ２１％に従った混合色を割り当てる。
【００３７】
なお第一の印刷用画像データＤ１が特色の網点を含んでいる場合、その特色も、第二の印刷装置２０のＣ、Ｍ、Ｙ、Ｋの特定の混合比に対応づけることが可能である。そのような対応づけをした場合、色変換された画像ではその特色はＣ、Ｍ、Ｙ、Ｋに分解されインク色としては存在しなくなる。
【００３８】
なお色設定データＤ３において、第一の印刷装置１０のインク色毎に、つまりＣ、Ｍ、Ｙ、Ｋの各色に対してのみ第二の印刷装置２０のインク色の混合比を設定した場合、領域区分部３３は、第一の印刷用画像データＤ１を、Ｃ、Ｍ、Ｙ、Ｋの各色の領域に区分する。すなわち、Ｃ、Ｍ、Ｙ、Ｋの二値画像データの各々がそれぞれ１つの領域とされる。このような領域の区分がなされたとき、色変換部３４は、Ｃ、Ｍ、Ｍ、Ｋの二値画像データの各々に１つずつ混合比を割り当てることになり、異なる混合色が割り当てられた領域同士が部分的に重なり合った状態になる。重なり合った部分の混合色は加算又は平均化するとよい。
【００３９】
画像データ出力部３５は、色変換された画像データから各インク色の成分を抽出してインク色毎の多階調画像データを生成し、その多階調画像データを、第二の印刷用画像データＤ２として出力する。
例えば図３に示す色設定データＤ３では、重ね合わせパターンＣＭＹＫ、…Ｋの内、重ね合わせパターンＣＭＹＫ、ＣＭＹ、ＣＭＫ、ＣＹＫ、ＭＹＫ、ＣＭ、ＣＹ、ＭＹ、ＭＫ、ＹＫ、Ｍ、ＹはＹ成分を含んでおり、ＣＫ、Ｃ、ＫはＹ成分を含んでいない。したがって色変換された画像からＹ成分を抽出して得られるＹの多階調画像データは、重ね合わせパターンＣＭＹＫ、ＣＭＹ、ＣＭＫ、ＣＹＫ、ＭＹＫ、ＣＭ、ＣＹ、ＭＹ、ＭＫ、ＹＫ、Ｍ、Ｙの領域を合わせた広がりを有する。
図５は、そのようなＹの多階調画像データＤＹの広がりを示している。なお図５は単に広がりを示しているだけであり、その各部における階調は、各領域のＹ成分の値によって定められる（図５全体で一定ということではない）。
ここではＹについてのみ説明したが、他のインク色についても同様である。
【００４０】
このようなインク色毎の多階調画像データは、前記のように構成された第二の印刷装置２０に適合する形式になっている。そして第一の印刷装置１０による印刷物の発色と、第二の印刷装置２０による印刷物の発色とが一致するように色設定データＤ３が設定されており、更に第一の印刷用画像データＤ１における網点の位置及び形状は第二の印刷用画像データＤ２にそのまま引き継がれている。よって第二の印刷用画像データＤ２を第二の印刷装置２０に入力して印刷された印刷物は、第一の印刷用画像データＤ１を第一の印刷装置１０に入力して印刷される印刷物と略同一の発色が得られ、モアレの発生やエッジの強調等の望ましくない視覚効果も正確に再現される。
【００４１】
画像処理装置は、例えばワークステーション等のコンピュータによって構成できる。そうした場合、第一の印刷装置に対応した第一の印刷用画像データから、第二の印刷装置に対応した第二の印刷用画像データを生成する画像処理をコンピュータに実行させるコンピュータ用プログラムが必要とされる。
図６はそのようなコンピュータ用プログラムの基本構成を示すフローチャートである。
基本手順中、ステップ１００は、第一の印刷装置のインク色の重ね合わせパターン毎に、第二の印刷装置のインク色の混合比を設定する工程である。
ステップ１０１は、第一の印刷用値画像データを受け入れる工程である。
ステップ１０２は、受け入れた第一の印刷用画像データを、インク色の重ね合わせパターン毎の領域に区分する工程である。
ステップ１０３は、区分された領域毎に、対応したインク色の混合比に従った混合色を割り当てて色変換する工程である。
ステップ１０４は、色変換された画像データから各インク色の成分を抽出してインク色毎の多階調画像データを生成する工程である。
ステップ１０５は、生成されたインク色毎の多階調画像データを、第二の印刷用画像データとして出力する工程である。
【００４２】
次いで実施形態の他例を説明する。
図７は、実施形態の他例とされる画像処理装置の基本構成を示すシステム図である。図１に共通する要素には同一の参照符号を付けて説明を省略する。
【００４３】
第一の印刷用画像データＤ１は、前記実施形態と同様である（図２参照）。
【００４４】
第一の印刷装置１０は、前記実施形態と同様であり、第一の印刷用画像データＤ１を受け入れてカラーの版式印刷物Ｐ１を形成する。
【００４５】
第二の印刷用画像データＤ２は例えばＣ、Ｍ、Ｙ、Ｋの二値画像データを組み合わせたものであって、Ｃ、Ｍ、Ｙ、Ｋの各々に対して２階調が指定された画素（ピクセル）を媒体領域に敷きつめた形式である。すなわち画素の各々について、一定量のＣ、Ｍ、Ｙ、Ｋのインクを打つ／打たないが指定されている。
【００４６】
第二の印刷装置２０はワークステーション等のコンピュータ装置によって制御される無版印刷装置と想定している。この無版印刷装置は、インク色毎の二値画像データを受け入れ、その二値画像データに従ったパターンで各インクを媒体に定着させることで、カラーの無版印刷物Ｐ２を形成するように構成されている。つまり前記実施形態よりも低レベルな印刷制御が可能である。
【００４７】
画像処理装置３０は、第一の印刷装置１０に対応した第一の印刷用画像データＤ１から、第二の印刷装置２０に対応した第二の印刷用画像データＤ２を生成する装置であるが、前記実施形態とは基本構成が異なる。
【００４８】
すなわち画像処理装置３０は、第一の印刷装置１０のインク色の重ね合わせパターン毎に、第二の印刷装置２０のインク色の混合比を設定し、設定された各インク色の混合比に従って、所定数の画素を配列させたブロックの各画素に第二の印刷装置２０のインク色のいずれかを割り当てることで複数種別の色ブロックを生成し（図８（ｂ）参照）、第一の印刷用画像データＤ１を受け入れ、受け入れた第一の印刷用画像データＤ１を、前記インク色の重ね合わせパターン毎の領域に区分し、区分された領域毎に、対応した色ブロックを配列させることで色変換し、色変換された画像データからインク色毎の二値画像データを生成し、第二の印刷機用画像データＤ２として出力するように構成されている。
【００４９】
そのための基本的な要素として、第一の印刷装置１０のインク色の重ね合わせパターン毎に、第二の印刷装置２０のインク色の混合比を設定し記憶する色設定部３１と、設定された各インク色の混合比に従って、所定数の画素を配列させたブロックの各画素に第二の印刷装置２０のインク色のいずれかを割り当てることで複数種別の色ブロックを生成する色ブロック生成部３６と、第一の印刷用画像データＤ１を受け入れる画像データ受入部３２と、受け入れた第一の印刷用画像データＤ１を、前記インク色の重ね合わせパターン毎の領域に区分する領域区分部３３と、区分された領域毎に、対応した色ブロックを配列させることで色変換する色変換部３４と、色変換された画像データからインク色毎の二値画像データを生成し、第二の印刷用画像データＤ２として出力する画像データ出力部３５とを備える。
【００５０】
色設定部３１は、前記実施形態と同様である。
【００５１】
図８（ａ）に示す色設定データＤ３は、第一の印刷装置１０のインク色の重ね合わせパターンＣＭＹＫ、…Ｋに対して、第二の印刷装置２０のインク色の混合比Ｃ１５％＋Ｍ１７％＋Ｙ１８％＋Ｋ２１％、…Ｋ８０％がそれぞれ設定されている。更に、それらの混合比に対応する色ブロックＢ（後述）の参照名も示している。
【００５２】
この実施形態は、混合色を、所定数の画素を配列させたブロック中の各インク色が割り当てられた画素数の比率によって表現する点が特徴であり、そのため色ブロック生成部３６が設けられている。
【００５３】
色ブロック生成部３６は、設定された各インク色の混合比に従って、所定数の画素（例えば７×７画素）を配列させたブロックの各画素に、第二の印刷装置２０のインク色のいずれかを割り当てることで、混合色毎に色ブロックを生成する。色ブロックは遠方からは画素が混じり合って見えることで、一つの混合色を表現する。インク色を割り当てる画素はランダムに選択しても、ディザ等によって選択してもよい。
図８（ｂ）は、重ね合わせパターンＣＭＹＫ、…Ｋに対して生成される色ブロックＢＣＭＹＫ、…ＢＫの例である。ただし色ブロックＢは一通りに限定されず、同一のインク色の重ね合わせパターンに対して画素の配置を異ならせた複数種類の色ブロックＢを用意してもよい。また色ブロックＢは、インク色が割り当てられない、つまり白色の画素を含めてもよく、そうすればより多くの階調に対応できる。
【００５４】
なお第一の印刷用画像データＤ１が特色の網点を含んでいる場合、その特色も、第二の印刷装置２０のＣ、Ｍ、Ｙ、Ｋの特定の混合比に対応づけることが可能である。そのような対応づけをした場合、特色に対応した色ブロックＢが生成されるが、その色ブロックＢを構成する画素には第二の印刷装置２０のインク色のいずれかが割り当てられるので、その特色はインク色としては存在しなくなる。
【００５５】
画像データ受入部３２は、前記実施形態と同様である。なお受け入れた第一の印刷用画像データＤ１は、網点の一部を、所定基準に従って拡大又は縮小するドットゲイン調整処理を施してもよい。
【００５６】
領域区分部３３は、前記実施形態と同様である（図４参照）。
【００５７】
色変換部３４は、区分された領域毎に、対応した色ブロックＢを配列させることで各領域を色変換する。
図９は、区分された領域に色ブロックＢを配列させる処理の一部を示している。例えば図示のように、重ね合わせパターンＣＹの領域は色ブロックＢＣＹが配列され、重ね合わせパターンＹＫの領域は色ブロックＢＹＫが配列され、重ね合わせパターンＭの領域は色ブロックＢＭが配列され、重ね合わせパターンＹの領域は色ブロックＢＹが配列される。領域から一部はみ出す色ブロックＢはそのままにしてもよいし、はみ出し部分を削除してもよい。
【００５８】
なお色設定データＤ３において、第一の印刷装置１０のインク色毎に、つまりＣ、Ｍ、Ｙ、Ｋの各色に対してのみ第二の印刷装置２０のインク色の混合比を設定した場合、それらの混合比に対応して、色ブロックＢＣ、ＢＭ、ＢＹ、ＢＫが生成される。また領域区分部３３は、第一の印刷用画像データＤ１を、Ｃ、Ｍ、Ｙ、Ｋの各色の領域に区分する。すなわち、Ｃ、Ｍ、Ｙ、Ｋの二値画像データの各々がそれぞれ１つの領域とされる。このような領域の区分がなされたとき、色変換部３４は、Ｃの二値画像データの全体に色ブロックＢＣを配列させ、Ｍの二値画像データの全体に色ブロックＢＭを配列させ、Ｙの二値画像データの全体に色ブロックＢＣを配列させ、Ｋの二値画像データの全体に色ブロックＢＫを配列させる。こうして配列された色ブロックＢＣ、ＢＭ、ＢＹ、ＢＫの一部は重なり合った状態になる。
【００５９】
画像データ出力部３５は、色変換された画像データから各インク色の画素を抽出してインク色毎の二値画像データを生成し、その二値画像データを第二の印刷用画像データＤ２として出力する。
【００６０】
図１０は、色変換された画像データからＹ画素を抽出して生成されたＹの二値画像データの例を示している。図８（ｂ）に示した１５通りの色ブロックＢＣＹＫ、…Ｋの内、色ブロックＢＣＭＹＫ、ＢＣＭＹ、ＢＣＭＫ、ＢＣＹＫ、ＢＭＹＫ、ＢＣＭ、ＢＣＹ、ＢＭＹ、ＢＭＫ、ＢＹＫ、ＢＭ、ＢＹはＹ画素を含んでおり、色ブロックＢＣＫ、ＢＣ、ＢＫはＹ画素を含んでいない。そのためＹの二値画像データＤＹは、Ｙ画素を含む色ブロックが配列された重ね合わせパターンＣＭＹＫ、ＣＭＹ、ＣＭＫ、ＣＹＫ、ＭＹＫ、ＣＭ、ＣＹ、ＭＹ、ＭＫ、ＹＫ、Ｍ、Ｙの領域を合わせた広がりを有する。Ｙの二値画像データＤＹの各部におけるＹ画素の分布は、重ね合わせパターンＣＭＹＫ、ＣＭＹ、ＣＭＫ、ＣＹＫ、ＭＹＫ、ＣＭ、ＣＹ、ＭＹ、ＭＫ、ＹＫ、Ｍ、Ｙに対応した色ブロックＢＣＭＹＫ、…におけるＹ画素の配置によって定められる（全体で一定ということではない）。ここでは参考のため、色ブロックＢＭ、ＢＹからＹ画素を抽出した単色ブロックＢＭ（Ｙ）、ＢＹ（Ｙ）を例示している。
ここではＹについてのみ説明したが、他のインク色についても同様である。
【００６１】
このようなインク色毎の二値画像は、前記のように構成された第二の印刷装置２０に適合する形式になっている。そして第一の印刷装置１０の発色と、第二の印刷装置２０の発色とが一致するように色設定データＤ３が設定されており、更に第一の印刷用画像データＤ１における網点の位置、形状は第二の印刷用画像データＤ２にそのまま引き継がれている。よって第二の印刷用画像データＤ２を第二の印刷装置２０に入力して印刷された印刷物は、第一の印刷用画像データＤ１を第一の印刷装置１０に入力して印刷される印刷物と略同一の発色が得られ、モアレの発生やエッジの強調等の望ましくない視覚効果も正確に再現される。
【００６２】
またこのインク色毎の二値画像は、各画素を網点と見なすことができるので、特段の加工処理をせずに、版式印刷装置でも簡単に印刷できる。したがって、ある機種の版式印刷装置で印刷される印刷物と略同一の印刷物を他機種の版式印刷装置によって印刷させるというような用途にも活用できる。
【００６３】
画像処理装置は、例えばワークステーション等のコンピュータによって構成できる。そうした場合、第一の印刷装置に対応した第一の印刷用画像データから、第二の印刷装置に対応した第二の印刷用画像データを生成する画像処理をコンピュータに実行させるコンピュータ用プログラムが必要とされる。
図１１はそのようなコンピュータ用プログラムの基本構成を示すフローチャートである。
基本手順中、ステップ２００は、第一の印刷装置のインク色の重ね合わせパターン毎に、第二の印刷装置のインク色の混合比を設定する工程である。
ステップ２０１は、設定された各インク色の混合比に従って、所定数の画素を配列させたブロックの各画素に第二の印刷装置のインク色のいずれかを割り当てることで、複数種別の色ブロックを生成する工程である。
ステップ２０２は、第一の印刷用画像データを受け入れる工程である。
ステップ２０３は、受け入れた第一の印刷用画像データを、インク色の重ね合わせパターン毎の領域に区分する工程である。
ステップ２０４は、区分された領域毎に、対応した色ブロックを配列させることで色変換する工程である。
ステップ２０５は、色変換された画像データから各インク色の画素を抽出してインク色毎の二値画像データを生成する工程である。
ステップ２０６は、生成されたインク色毎の二値画像データを、第二の印刷用画像データとして出力する工程である。
【符号の説明】
【００６４】
１０      第一の印刷装置
２０      第二の印刷装置
３０      画像処理装置
３１      色設定部
３２      画像データ受入部
３３      領域区分部
３４      色変換部
３５      画像データ出力部
３６      色ブロック生成部
Ｄ１      第一の印刷用画像データ
Ｄ２      第二の印刷用画像データ
Ｑ        網点
【図１】
2016194217.tif 000003
【図２】
2016194217.tif 000004
【図３】
2016194217.tif 000005
【図４】
2016194217.tif 000006
【図５】
2016194217.tif 000007
【図６】
2016194217.tif 000008
【図７】
2016194217.tif 000009
【図８】
2016194217.tif 000010
【図９】
2016194217.tif 000011
【図１０】
2016194217.tif 000012
【図１１】
2016194217.tif 000013
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
第一の印刷装置に対応した第一の印刷用画像データから、第二の印刷装置に対応した第二の印刷用画像データを生成する画像処理装置において、
第一の印刷装置のインク色毎又はインク色の重ね合わせパターン毎に、第二の印刷装置のインク色の混合比を設定し記憶する色設定部と、
網点画像データで構成された第一の印刷用画像データを受け入れる画像データと、
受け入れた第一の印刷用画像データにおける網点の位置及び形状を保ったまま、前記インク色毎又はインク色の重ね合わせパターン毎の１乃至複数の領域に区分する領域区分部と、
区分された領域毎に、対応したインク色の混合比に従った混合色を割り当てて色変換する色変換部と、
色変換された画像データから各インク色の成分を抽出してインク色毎の多階調画像データを生成し、第二の印刷用画像データとして出力する画像データ出力部とを備えることを特徴とする画像処理装置。
【請求項２】
第一の印刷装置に対応した第一の印刷用画像データから、第二の印刷装置に対応した第二の印刷用画像データを生成する画像処理装置において、
第一の印刷装置のインク色毎又はインク色の重ね合わせパターン毎に、第二の印刷装置のインク色の混合比を設定し記憶する色設定部と、
設定された各インク色の混合比に従って、所定数の画素を配列させたブロックの各画素に第二の印刷装置のインク色のいずれかを割り当てることで、複数種別の色ブロックを生成する色ブロック生成部と、
網点画像データで構成された第一の印刷用画像データを受け入れる画像データ受入部と、
受け入れた第一の印刷用画像データにおける網点の位置及び形状を保ったまま、前記インク色毎又はインク色の重ね合わせパターン毎の１乃至複数の領域に区分する領域区分部と、
区分された領域毎に、対応した色ブロックを配列させることで色変換する色変換部と、
色変換された画像データから各インク色の成分を抽出してインク色毎の二値画像データを生成し、第二の印刷用画像データとして出力する画像データ出力部とを備えることを特徴とする画像処理装置。
【請求項３】
請求項１又は２に記載の画像処理装置において、
第一の印刷用画像データは特色の網点を含んでいることを特徴とする画像処理装置。
【請求項４】
請求項１乃至３のいずれか一項に記載の画像処理装置において、
前記インク色の混合比は、第一、第二の印刷装置のインク色の印刷順序と透過度とに基づいて設定することを特徴とする画像処理装置。
【請求項５】
請求項１乃至４のいずれか一項に記載の画像処理装置において、
受け入れた第一の印刷用画像データの網点の一部を、所定基準に従って拡大又は縮小するドットゲイン調整処理を行うことを特徴とする画像処理装置。
【請求項６】
第一の印刷装置に対応した第一の印刷用画像データから、第二の印刷装置に対応した第二の印刷用画像データを生成する画像処理をコンピュータに実行させるためのコンピュータ用プログラムにおいて、
第一の印刷装置のインク色毎又はインク色の重ね合わせパターン毎に、第二の印刷装置のインク色の混合比を設定する工程と、
網点画像データで構成された第一の印刷用値画像データを受け入れる工程と、
受け入れた第一の印刷用画像データにおける網点の位置及び形状を保ったまま、前記インク色毎又はインク色の重ね合わせパターン毎の１乃至複数の領域に区分する工程と、
区分された領域毎に、対応したインク色の混合比に従った混合色を割り当てて色変換する工程と、
色変換された画像データから各インク色の成分を抽出してインク色毎の多階調画像データを生成する工程と、
生成されたインク色毎の多階調画像データを、第二の印刷用画像データとして出力する工程とを備えることを特徴とするコンピュータ用プログラム。
【請求項７】
第一の印刷装置に対応した第一の印刷用画像データから、第二の印刷装置に対応した第二の印刷用画像データを生成する画像処理をコンピュータに実行させるためのコンピュータ用プログラムにおいて、
第一の印刷装置のインク色毎又はインク色の重ね合わせパターン毎に、第二の印刷装置のインク色の混合比を設定する工程と、
設定された各インク色の混合比に従って、所定数の画素を配列させたブロックの各画素に第二の印刷装置のインク色のいずれかを割り当てることで、複数種別の色ブロックを生成する工程と、
網点画像データで構成された第一の印刷用画像データを受け入れる工程と、
受け入れた第一の印刷用画像データにおける網点の位置及び形状を保ったまま、前記インク色毎又はインク色の重ね合わせパターン毎の１乃至複数の領域に区分する工程と、
区分された領域毎に、対応した色ブロックを配列させることで色変換する工程と、
色変換された画像データから各インク色の成分を抽出してインク色毎の二値画像データを生成する工程と、
生成されたインク色毎の二値画像データを、第二の印刷用画像データとして出力する工程とを備えることを特徴とするコンピュータ用プログラム。
【請求項８】
請求項６又は７に記載のコンピュータ用プログラムにおいて、
第一の印刷用画像データは特色の網点を含んでいることを特徴とするコンピュータ用プログラム。
【請求項９】
請求項６乃至８のいずれか一項に記載のコンピュータ用プログラムにおいて、
前記インク色の混合比は、第一、第二の印刷装置のインク色の印刷順序と透過度とに基づいて設定することを特徴とするコンピュータ用プログラム。
【請求項１０】
請求項６乃至９のいずれか一項に記載のコンピュータ用プログラムにおいて、
受け入れた第一の印刷用画像データの網点の一部を、所定基準に従って拡大又は縮小するドットゲイン調整処理を行うことを特徴とするコンピュータ用プログラム。
【請求項１１】
第一の印刷装置に対応した第一の印刷用画像データから、第二の印刷装置に対応した第二の印刷用画像データを生成する画像処理方法において、
第一の印刷装置のインク色毎又はインク色の重ね合わせパターン毎に、第二の印刷装置のインク色の混合比を設定し、
網点画像データで構成された第一の印刷用画像データを受け入れ、
受け入れた第一の印刷用画像データにおける網点の位置及び形状を保ったまま、前記インク色毎又はインク色の重ね合わせパターン毎の１乃至複数の領域に区分し、
区分された領域毎に、対応したインク色の混合比に従った混合色を割り当てて色変換し、
色変換された画像データから各インク色の成分を抽出してインク色毎の多階調画像データを生成し、第二の印刷機用画像データとして出力することを特徴とする画像処理方法。
【請求項１２】
第一の印刷装置に対応した第一の印刷用画像データから、第二の印刷装置に対応した第二の印刷用画像データを生成する画像処理方法において、
第一の印刷装置のインク色毎又はインク色の重ね合わせパターン毎に、第二の印刷装置のインク色の混合比を設定し、
設定された各インク色の混合比に従って、所定数の画素を配列させたブロックの各画素に第二の印刷装置のインク色のいずれかを割り当てることで、複数種別の色ブロックを生成し、
網点画像データで構成された第一の印刷用画像データを受け入れ、
受け入れた第一の印刷用画像データにおける網点の位置及び形状を保ったまま、前記インク色毎又はインク色の重ね合わせパターン毎の１乃至複数の領域に区分し、
区分された領域毎に、対応した色ブロックを配列させることで色変換し、
色変換された画像データから各インク色の成分を抽出してインク色毎の二値画像データを生成し、第二の印刷機用画像データとして出力することを特徴とする画像処理方法。
【請求項１３】
請求項１１又は１２に記載の画像処理方法において、
第一の印刷用画像データは特色の網点を含んでいることを特徴とする画像処理方法。
【請求項１４】
請求項１１乃至１３のいずれか一項に記載の画像処理方法において、
前記インク色の混合比は、第一、第二の印刷装置のインク色の印刷順序と透過度とに基づいて設定することを特徴とする画像処理方法。
【請求項１５】
請求項１１乃至１４のいずれか一項に記載の画像処理方法において、
受け入れた第一の印刷用画像データの網点の一部を、所定基準に従って拡大又は縮小するドットゲイン調整処理を行うことを特徴とする画像処理方法。
【手続補正２】
【補正対象書類名】明細書
【補正対象項目名】０００７
【補正方法】変更
【補正の内容】
【０００７】
本発明は、第一の印刷装置に対応した第一の印刷用画像データから、第二の印刷装置に対応した第二の印刷用画像データを生成する画像処理装置において、第一の印刷装置のインク色毎又はインク色の重ね合わせパターン毎に、第二の印刷装置のインク色の混合比を設定し記憶する色設定部と、網点画像データで構成された第一の印刷用画像データを受け入れる画像データと、受け入れた第一の印刷用画像データにおける網点の位置及び形状を保ったまま、前記インク色毎又はインク色の重ね合わせパターン毎の１乃至複数の領域に区分する領域区分部と、区分された領域毎に、対応したインク色の混合比に従った混合色を割り当てて色変換する色変換部と、  色変換された画像データから各インク色の成分を抽出してインク色毎の多階調画像データを生成し、第二の印刷用画像データとして出力する画像データ出力部とを備えることを特徴とする。
【手続補正３】
【補正対象書類名】明細書
【補正対象項目名】０００８
【補正方法】変更
【補正の内容】
【０００８】
また本発明は、  第一の印刷装置に対応した第一の印刷用画像データから、第二の印刷装置に対応した第二の印刷用画像データを生成する画像処理装置において、  第一の印刷装置のインク色毎又はインク色の重ね合わせパターン毎に、第二の印刷装置のインク色の混合比を設定し記憶する色設定部と、設定された各インク色の混合比に従って、所定数の画素を配列させたブロックの各画素に第二の印刷装置のインク色のいずれかを割り当てることで、複数種別の色ブロックを生成する色ブロック生成部と、網点画像データで構成された第一の印刷用画像データを受け入れる画像データ受入部と、受け入れた第一の印刷用画像データにおける網点の位置及び形状を保ったまま、前記インク色毎又はインク色の重ね合わせパターン毎の１乃至複数の領域に区分する領域区分部と、区分された領域毎に、対応した色ブロックを配列させることで色変換する色変換部と、色変換された画像データから各インク色の成分を抽出してインク色毎の二値画像データを生成し、第二の印刷用画像データとして出力する画像データ出力部とを備えることを特徴とする。
【手続補正４】
【補正対象書類名】明細書
【補正対象項目名】０００９
【補正方法】変更
【補正の内容】
【０００９】
第一の印刷装置に対応した第一の印刷用画像データから、第二の印刷装置に対応した第二の印刷用画像データを生成する画像処理をコンピュータに実行させるためのコンピュータ用プログラムにおいて、第一の印刷装置のインク色毎又はインク色の重ね合わせパターン毎に、第二の印刷装置のインク色の混合比を設定する工程と、網点画像データで構成された第一の印刷用値画像データを受け入れる工程と、受け入れた第一の印刷用画像データにおける網点の位置及び形状を保ったまま、前記インク色毎又はインク色の重ね合わせパターン毎の１乃至複数の領域に区分する工程と、区分された領域毎に、対応したインク色の混合比に従った混合色を割り当てて色変換する工程と、色変換された画像データから各インク色の成分を抽出してインク色毎の多階調画像データを生成する工程と、生成されたインク色毎の多階調画像データを、第二の印刷用画像データとして出力する工程とを備えることを特徴とする。
【手続補正５】
【補正対象書類名】明細書
【補正対象項目名】００１０
【補正方法】変更
【補正の内容】
【００１０】
また本発明は、第一の印刷装置に対応した第一の印刷用画像データから、第二の印刷装置に対応した第二の印刷用画像データを生成する画像処理をコンピュータに実行させるためのコンピュータ用プログラムにおいて、第一の印刷装置のインク色毎又はインク色の重ね合わせパターン毎に、第二の印刷装置のインク色の混合比を設定する工程と、設定された各インク色の混合比に従って、所定数の画素を配列させたブロックの各画素に第二の印刷装置のインク色のいずれかを割り当てることで、複数種別の色ブロックを生成する工程と、網点画像データで構成された第一の印刷用画像データを受け入れる工程と、受け入れた第一の印刷用画像データにおける網点の位置及び形状を保ったまま、前記インク色毎又はインク色の重ね合わせパターン毎の１乃至複数の領域に区分する工程と、区分された領域毎に、対応した色ブロックを配列させることで色変換する工程と、色変換された画像データから各インク色の成分を抽出してインク色毎の二値画像データを生成する工程と、生成されたインク色毎の二値画像データを、第二の印刷用画像データとして出力する工程とを備えることを特徴とする。
【手続補正６】
【補正対象書類名】明細書
【補正対象項目名】００１１
【補正方法】変更
【補正の内容】
【００１１】
また本発明は、第一の印刷装置に対応した第一の印刷用画像データから、第二の印刷装置に対応した第二の印刷用画像データを生成する画像処理方法において、第一の印刷装置のインク色毎又はインク色の重ね合わせパターン毎に、第二の印刷装置のインク色の混合比を設定し、
網点画像データで構成された第一の印刷用画像データを受け入れ、受け入れた第一の印刷用画像データにおける網点の位置及び形状を保ったまま、前記インク色毎又はインク色の重ね合わせパターン毎の１乃至複数の領域に区分し、区分された領域毎に、対応したインク色の混合比に従った混合色を割り当てて色変換し、色変換された画像データから各インク色の成分を抽出してインク色毎の多階調画像データを生成し、第二の印刷機用画像データとして出力することを特徴とする。
【手続補正７】
【補正対象書類名】明細書
【補正対象項目名】００１２
【補正方法】変更
【補正の内容】
【００１２】
また本発明は、第一の印刷装置に対応した第一の印刷用画像データから、第二の印刷装置に対応した第二の印刷用画像データを生成する画像処理方法において、第一の印刷装置のインク色毎又はインク色の重ね合わせパターン毎に、第二の印刷装置のインク色の混合比を設定し、
設定された各インク色の混合比に従って、所定数の画素を配列させたブロックの各画素に第二の印刷装置のインク色のいずれかを割り当てることで、複数種別の色ブロックを生成し、
網点画像データで構成された第一の印刷用画像データを受け入れ、受け入れた第一の印刷用画像データにおける網点の位置及び形状を保ったまま、前記インク色毎又はインク色の重ね合わせパターン毎の１乃至複数の領域に区分し、区分された領域毎に、対応した色ブロックを配列させることで色変換し、色変換された画像データから各インク色の成分を抽出してインク色毎の二値画像データを生成し、第二の印刷機用画像データとして出力することを特徴とする。
【国際調査報告】
2016194217.tif 000014
2016194217.tif 000015
2016194217.tif 000016
2016194217.tif 000017